(57)【要約】  たばこ物品のパッケージ（１）であって、開放した上端部（５）、開放した上端部（５）の反対側の底部壁（６）、互いに反対側であると共に平行である前部壁（７）及び後部壁（８）、及び２つの反対側の平行な側壁（９）を有する平行六面体形状の箱（２）と、箱（２）内に収容される一群のたばこ物品（３）と、蓋（４）であって、ヒンジ（１４）によって箱（２）にヒンジ結合され、且つ、蓋（４）が閉鎖された際に箱（２）の底部壁（６）の反対側であると共にこれに対して平行である上部壁（１０）、蓋（４）が閉鎖された際に箱（２）の対応する前部及び後部壁（７、８）に対して平行であると共にこれらの上部に重畳する前部壁（１１）及び後部壁（１２）、及び蓋（４）が閉鎖された際に箱（２）の対応する側壁（９）に対して平行であると共にこれらの上部に重畳する２つの側壁（１３）を有する蓋（４）と、を有する。
2013519595.tif 000002
【特許請求の範囲】
【請求項１】
たばこ物品のパッケージ（１）であって、
開放した上端部（５）と、開放した上端部（５）とは反対側の底部壁（６）と、互いに反対側であると共に平行である前部壁（７）及び後部壁（８）と、２つの反対側の平行な側壁（９）と、を有する平行六面体形状の箱（２）と、
箱（２）内に収容される一群のたばこ物品（３）と、
蓋（４）であって、ヒンジ（１４）によって箱（２）にヒンジ結合され、且つ、蓋（４）が閉鎖された際に箱（２）の底部壁（６）の反対側であると共にこれに対して平行である上部壁（１０）と、蓋（４）が閉鎖された際に箱（２）の対応する前部及び後部壁（７、８）に対して平行である前部壁（１１）及び後部壁（１２）と、蓋（４）が閉鎖された際に箱（２）の対応する側壁（９）に対して平行である２つの側壁（１３）と、を有する蓋（４）と、
を有し、
蓋（４）のヒンジ（１４）に沿って蓋（４）の後部壁（１２）に対して上端部において接続された第１接続壁（１５）と、
第１横断方向折曲線（１７ａ）に沿って第１接続壁（１５）の下端部に対して下端部において接続し、第２横断方向折曲線（１７ｂ）に沿って箱（２）の後部壁（８）の上端部に対して上端部において接続し、且つ、一側において第１接続壁（１５）に、且つ、他側において箱（２）の後部壁（８）に、糊付けされる第２接続壁（１６）と、
を有することを特徴とするパッケージ（１）。
【請求項２】
蓋（４）のそれぞれの側壁（１３）は、はじめに、蓋（４）を開封した際に断裂する断裂線に沿って箱（２）の後部壁（８）に対して接続する請求項１に記載のたばこ物品のパッケージ。
【請求項３】
パッケージ（１）は、一群のたばこ物品（３）の周りにおいて折曲される単一のブランク（２０）から製造され、ブランク（２０）は、２つの内側長手方向折曲線（２１ａ）と、いくつかの横断方向折曲線（１７）と、を有し、
横断方向折曲線（１７）は、２つの内側長手方向折曲線（２１ａ）の間に、
蓋（４）の前部壁（１１）を形成する第１パネル（１１′）と、
蓋（４）の上部壁（１０）を形成する第２パネル（１０′）と、
蓋（４）のヒンジ（１４）によって互いに分離された蓋（４）の後部壁（１２）と第１接続壁（１５）を形成する第３パネル（１２′＋１５′）と、
第２接続壁（１６）を形成する第４パネル（１６′）と、
箱（２）の後部壁（８）を形成する第５パネル（８′）と、
箱（２）の底部壁（６）を形成する第６パネル（６′）と、
箱（２）の前部壁（７）を形成する第７パネル（７′）と、
を規定する請求項１又は２に記載のたばこ物品のパッケージ。
【請求項４】
ブランク（２０）は、横断方向折曲線（１７）に沿って第１パネル（１１′）に接続し、且つ、蓋（４）の前部壁（１１）を内部において補強するために第１パネル（１１′）上に重畳すると共にこれに対して糊付けされる補強フラップ（１１″）を有する請求項３に記載のたばこ物品のパッケージ。
【請求項５】
ブランク（２０）は、第１パネル（１１′）と補強フラップ（１１″）の間に対称的に形成され、且つ、蓋（４）を把持及び開放するための窓（２２）を蓋（４）の前部壁（１１）内に規定する第１貫通孔（２２′）を有する請求項４に記載のたばこ物品のパッケージ。
【請求項６】
ブランク（２０）は、
第２パネル（１０′）の両側に配置され、２つの内側長手方向折曲線（２１ａ）に沿って第２パネル（１０′）に接続し、且つ、蓋（４）の２つの側壁（１３）を形成する２つの第８パネル（１３′）と、
第８パネル（１３′）の両側に配置され、２つの外側長手方向折曲線（２１ｂ）に沿って第８パネル（１３′）に接続し、且つ、蓋（４）の側壁（１３）を内部において補強するために対応する第８パネル（１３′）上に重畳すると共にこれに対して糊付けされる２つの補強ウィング（１３″）と、
を有する請求項３〜５のいずれか一項に記載のたばこ物品のパッケージ。
【請求項７】
第１パネル（１１′）は、第１パネル（１１′）の両側に配置され、２つの内側長手方向折曲線（２１ａ）に沿って第１パネル（１１′）に接続し、且つ、２つの第８パネル（１３′）に対して糊付けされる２つの第１タブ（２３）を有し、且つ、
第３パネル（１２′＋１５′）は、第３パネル（１２′＋１５′）の両側に配置され、且つ、２つの内側長手方向折曲線（２１ａ）に沿って第３パネル（１２′＋１５′）に接続し、且つ、２つの第８パネル（１３′）に糊付けされる２つの第２タブ（２４）を有する請求項６に記載のたばこ物品のパッケージ。
【請求項８】
２つの補強ウィング（１３″）は、第１タブ（２３）及び第２タブ（２４）と決してオーバーラップしないように、第１タブ（２３）及び第２タブ（２４）の形状と相補的な形状を生成するように、外側縁部に沿って成形される請求項７に記載のたばこ物品のパッケージ。
【請求項９】
それぞれの第２タブ（２４）は、内側長手方向折曲線（２１ａ）の非断裂可能部分に沿って蓋（４）の後部壁（１２）に接続し、且つ、内側長手方向折曲線（２１ａ）の断裂部分に沿って第１接続壁（１５）に接続する請求項７又は８に記載のたばこ物品のパッケージ。
【請求項１０】
ブランク（２０）は、第６パネル（６′）の両側に配置され、２つの内側長手方向折曲線（２１ａ）に沿って第６パネル（６′）に接続し、且つ、箱（２）の２つの側壁（９）を形成する２つの第９パネル（９′）を有し、且つ、
それぞれの第９パネル（９′）は、横断方向折曲線（１７）に沿って第９パネル（９′）に接続し、且つ、第５パネル（８′）に糊付けされる第３タブ（２５）と、第３タブ（２５）の反対側の端部において横断方向折曲線（１７）に沿って第９パネル（９′）に接続し、且つ、第７パネル（７′）に糊付けされる第４タブ（２６）と、を有する請求項３〜９のいずれか一項に記載のたばこ物品のパッケージ。
【請求項１１】
ブランク（２０）は、第４パネル（１６′）と第５パネル（８′）の間に対称的に形成され、且つ、蓋（４）の後部壁（１２）内に窓（２７）を規定する第２貫通孔（２７′）を有する請求項３〜９のいずれか一項に記載のたばこ物品のパッケージ。
【請求項１２】
蓋（４）の上部壁（１０）は、蓋（４）が閉鎖された際に、蓋（４）の前部壁（１１）が箱（２）の前部壁（７）上に重畳すると共にこれを完全にカバーし、且つ、蓋（４）の側壁（１３）が箱（２）の側壁（９）上に重畳すると共にこれらを完全にカバーするように、箱（２）の底部壁（６）よりも大きい請求項１〜１１のいずれか一項に記載のたばこ物品のパッケージ。
【請求項１３】
請求項１〜１２のいずれか一項に記載のたばこ物品のパッケージ用のブランクであって、
ブランク（２０）は、２つの内側長手方向折曲線（２１ａ）と、いくつかの横断方向折曲線（１７）と、を有し、
横断方向折曲線（１７）は、２つの内側長手方向折曲線（２１ａ）の間に、
蓋（４）の前部壁（１１）を形成する第１パネル（１１′）と、
蓋（４）の上部壁（１０）を形成する第２パネル（１０′）と、
蓋（４）のヒンジ（１４）によって互いに分離された蓋（４）の後部壁（１２）と第１接続壁（１５）を形成する第３パネル（１２′＋１５′）と、
第２接続壁（１６）を形成する第４パネル（１６′）と、
箱（２）の後部壁（８）を形成する第５パネル（８′）と、
箱（２）の底部壁（６）を形成する第６パネル（６′）と、
箱（２）の前部壁（７）を形成する第７パネル（７′）と、
を規定するブランク。
【請求項１４】
ブランクを折曲して請求項１〜１２のいずれか一項に記載のたばこ物品のパッケージを形成する方法であって、
ブランク（２０）は、２つの内部長手方向折曲線（２１ａ）と、いくつかの横断方向折曲線（１７）と、を有し、
横断方向折曲線（１７）は、２つの内側長手方向折曲線（２１ａ）の間に、
蓋（４）の前部壁（１１）を形成する第１パネル（１１′）と、
蓋（４）の上部壁（１０）を形成する第２パネル（１０′）と、
蓋（４）のヒンジ（１４）によって互いに分離された蓋（４）の後部壁（１２）と第１接続壁（１５）を形成する第３パネル（１２′＋１５′）と、
第２接続壁（１６）を形成する第４パネル（１６′）と、
箱（２）の後部壁（８）を形成する第５パネル（８′）と、
箱（２）の底部壁（６）を形成する第６パネル（６′）と、
箱（２）の前部壁（７）を形成する第７パネル（７′）と、
を規定する、方法であって、
第４パネル（１６′）との関係において、且つ、第１横断方向折曲線（１７ａ）を中心として、１８０°だけ、第３パネル（１２′＋１５′）を折曲し、第４パネル（１６′）上に第２パネル（１２′＋１５′）を重畳させるステップと、
第５パネル（８′）との関係において、且つ、第２横断方向折曲線（１７ｂ）を中心として、１８０°だけ、第４パネル（１６′）を折曲し、第５パネル（８′）上に第４パネル（１６′）を重畳させるステップと、
第４パネル（１６′）との関係における１８０°だけの第３パネル（１２′＋１５′）の、且つ、第５パネル（８′）との関係における１８０°だけの第４パネル（１６′）の、折曲を完了させた後に、第６パネル（６′）上に一群のたばこ物品（３）を配置するステップと、
第６パネル（６′）上に載置された一群のたばこ物品（３）の周りにおいてブランク（２０）の残りの部分を折曲するステップと、
を有する方法。
【請求項１５】
Ｚ字形の折曲を形成するように、第４パネル（１６′）との関係において、１８０°だけ、第３パネル（１２′＋１５′）を、且つ、第５パネル（８′）との関係において、１８０°だけ、第４パネル（１６′）を、同時に折曲する更なるステップを有する請求項１４に記載の方法。
【請求項１６】
第６パネル（６′）上に一群のたばこ物品（３）を配置する前に、
横断方向折曲線（１７）を中心として、且つ、第１パネル（１１′）との関係において、１８０°だけ、補強フラップ（１１″）を折曲し、第１パネル（１１′）上に補強フラップ（１１″）を重畳させるステップと、
外側長手方向折曲線（２１ｂ）を中心として、且つ、蓋（４）の側壁（１３）を形成する対応する第８パネル（１３′）との関係において、１８０°だけ、それぞれの補強ウィング（１３″）を折曲し、第８パネル（１３′）上に補強ウィング（１３″）を重畳させるステップと、
を更に有する請求項１４又は１５に記載の方法。
【請求項１７】
第６パネル（６′）上に一群のたばこ物品（３）を配置した後に、
内側長手方向折曲線（２１ａ）を中心として、第６パネル（６′）との関係において、且つ、一群のたばこ物品（３）上に、９０°だけ、箱（２）の側壁（９）を形成するそれぞれの第９パネル（９′）を折曲するステップと、
横断方向折曲線（１７）を中心として、一群のたばこ物品（３）上に、且つ、箱（２）の側壁（９）を形成する対応する第９パネル（９′）との関係において、９０°だけ、それぞれの第３タブ（２５）を折曲するステップと、
横断方向折曲線（１７）を中心として、一群のたばこ物品（３）上に、且つ、箱（２）の側壁（９）を形成する対応する第９パネル（９）との関係において、９０°だけ、それぞれの第４タブ（２６）を折曲するステップと、
を有する請求項１４〜１６のいずれか一項に記載の方法。
【請求項１８】
２つの第９パネル（９′）、２つの第３タブ（２５）、及び２つの第４タブ（２６）を、９０°だけ、折曲した後に、
横断方向折曲線（１７）を中心として、一群のたばこ物品（３）上に、且つ、第６パネル（６′）との関係において、９０°だけ、第３パネル（１２′＋１５′）、第４パネル（１６′）、及び第５パネル（８′）を一緒に折曲するステップと、
横断方向折曲線（１７）を中心として、一群のたばこ物品（３）上に、且つ、第３パネル（１２′＋１５′）との関係において、９０°だけ、第２パネル（１０′）を折曲するステップと、
横断方向折曲線（１７）を中心として、一群のたばこ物品（３）上に、且つ、第２パネル（１０′）との関係において、９０°だけ、第１パネル（１１′）を折曲するステップと、
を更に有する請求項１７に記載の方法。
【請求項１９】
第１パネル（１１′）、第２パネル（１０′）、第３パネル（１２′＋１５′）、第４パネル（１６′）、及び第５パネル（８′）を、９０°だけ、折曲した後に、
内側長手方向折曲線（２１ａ）を中心として、一群のたばこ物品（３）上に、且つ、第１パネル（１１′）との関係において、９０°だけ、それぞれの第１タブ（２３）を折曲するステップと、
内側長手方向折曲線（２１ａ）を中心として、一群のたばこ物品（３）上に、且つ、第３パネル（１２′＋１５′）との関係において、９０°だけ、それぞれの第２タブ（２４）を折曲するステップと、
内側長手方向折曲線（２１ａ）を中心として、一群のたばこ物品（３）上に、且つ、第２パネル（１０′）との関係において、９０°だけ、蓋（４）の側壁（１３）を形成するそれぞれの第８パネル（１３′）を折曲するステップと、
を更に有する請求項１８に記載の方法。
【発明の詳細な説明】
【技術分野】
【０００１】
本発明は、たばこ物品のパッケージ、たばこ物品のパッケージ用のブランク、及びブランクを折曲してたばこ物品のパッケージを形成する方法に関する。
【背景技術】
【０００２】
通常は重畳した２つの層に配列された一群の紙巻きたばこを収容する平たくて上端が開放した箱と、箱及び蓋に糊付けされるステッカによって箱に対してヒンジ結合された蓋と、を有する紙巻きたばこの所謂「ショルダボックス」パッケージが知られている。箱の内部のカラーが、開閉に伴って蓋をガイド及び支持するために、且つ、蓋の自由な運動をわずかに妨げることにより、閉じた蓋を箱との接触状態に保持するために、箱の側壁から蓋に向かって突出している。
【０００３】
紙巻きたばこの「ショルダボックス」パッケージは、現在、箱を形成するために糊付け及び折曲される第１ブランクと、第１のものとは別個であり、且つ、蓋を形成するために糊付け及び折曲される第２ブランクと、第１及び第２のものとは別個であり、且つ、箱の内部に挿入されると共にその側壁に糊付けされるカラーを形成するために折曲される第３ブランクと、蓋を箱に対してヒンジ結合するために箱及び蓋の周りに糊付けされるステッカと、を使用して製造されている。
【０００４】
これらの３つの別個のブランクを伴う作業は、３つの別個の独立した包装材料と、それぞれが対応するブランクを折曲する３つの独立した包装ユニットと、を伴う作業の実行を要することから、紙巻きたばこの「ショルダボックス」パッケージの製造は複雑である。又、３つの独立した包装ユニットを使用していることから、「ショルダボックス」製造システムは、極めて嵩張り、且つ、包装ユニットのいずれか１つに問題（例えば、ジャム）が発生した場合には完全にシャットダウンしなければならないことから、全体的な効率も低い。
【発明の概要】
【発明が解決しようとする課題】
【０００５】
上述の欠点を除去するように設計されると共に製造が安価且つ容易であるタバコ物品のパッケージ、たばこ物品のパッケージ用のブランク、及びブランクを折曲してたばこ物品のパッケージを形成する方法を提供することが本発明の目的である。たばこ物品は、好ましくは、紙巻きたばこである。
【課題を解決するための手段】
【０００６】
本発明によれば、添付の請求項において特許請求されているように、たばこ物品のパッケージ、たばこ物品のパッケージ用のブランク、及びブランクを折曲してたばこ物品のパッケージを形成する方法が提供される。
【０００７】
一例として添付図面を参照し、本発明のいくつかの非限定的な実施形態について説明することとする。
【図面の簡単な説明】
【０００８】
【図１】閉鎖構成における本発明によるたばこ物品のパッケージの斜視図を示す。
【図２】開放構成における図１のたばこ物品のパッケージの斜視図を示す。
【図３】一群のたばこ物品が取り除かれた状態における開放構成における図１のたばこ物品のパッケージの斜視図を示す。
【図４】開放構成における図１のたばこ物品のパッケージの斜視図を示す。
【図５】閉鎖構成における図１のたばこ物品のパッケージの後部部分の断面を示す。
【図６】図１のたばこ物品のパッケージを形成するためのブランクの平面図を示す。
【図７】糊が塗布された領域を示す図６のブランクの２つのそれぞれ正面図を示す。
【図８】糊が塗布された領域を示す図６のブランクの２つのそれぞれ背面図を示す。
【図９】図１のパッケージを形成するために、一群のたばこ物品と組み合わせられる前に図６のブランクを折曲する方法の斜視図を示す。
【図１０】一群のたばこ物品と組み合わせられる前の部分的に折曲された図６のブランクの２つのそれぞれ正面図を示す。
【図１１】一群のたばこ物品と組み合わせられる前の部分的に折曲された図６のブランクの２つのそれぞれ背面図を示す。
【図１２】図１のパッケージを形成するために、一群のたばこ物品の周りにおいて、図１０及び図１１の部分的に折曲されたブランクを折曲する方法の概略斜視図を示す。
【図１３】図１のパッケージを形成するために、一群のたばこ物品の周りにおいて、図１０及び図１１の部分的に折曲されたブランクを折曲する方法の概略斜視図を示す。
【図１４】図１のパッケージを形成するために、一群のたばこ物品の周りにおいて、図１０及び図１１の部分的に折曲されたブランクを折曲する方法の概略斜視図を示す。
【図１５】図１のパッケージを形成するために、一群のたばこ物品の周りにおいて、図１０及び図１１の部分的に折曲されたブランクを折曲する方法の概略斜視図を示す。
【図１６】図１のパッケージを形成するために、一群のたばこ物品の周りにおいて、図１０及び図１１の部分的に折曲されたブランクを折曲する方法の概略斜視図を示す。
【図１７】図１のパッケージを形成するために、一群のたばこ物品の周りにおいて、図１０及び図１１の部分的に折曲されたブランクを折曲する方法の概略斜視図を示す。
【図１８】一群のたばこ物品が取り除かれた状態における開放構成における図１のたばこ物品のパッケージの代替実施形態の斜視図を示す。
【図１９】図１８のたばこ物品のパッケージを形成するためのブランクの平面図を示す。
【発明を実施するための形態】
【０００９】
図１〜図４の参照符号１は、紙巻きたばこの所謂「ショルダボックス」パッケージの全体を示している。
【００１０】
紙巻きたばこのパッケージ１は、包装された一群の紙巻きたばこ（タバコ物品）３を、即ち、フォイル包装材のシートによって包まれた一群の紙巻きたばこ（図示されてはいない）を、収容する平たくて上端が開放した箱２と、蓋４が箱２の開放した上端部５を閉鎖する閉鎖位置（図１）と箱２の開放した上端部５を通じて一群の紙巻きたばこ３にアクセスするために蓋４が箱２から上昇している開放位置（図２〜図４）の間において回転するように箱２に対してヒンジ結合された蓋４と、を有する。
【００１１】
図３に示されているように、箱２は、平行六面体形状であり、且つ、開放した上端部５と反対側の底部壁６と、互いに反対側であると共に平行である前部壁７及び後部壁８と、壁７及び８の間に介在している２つの平行な側壁９と、を有する。蓋４は、カップ形状の平行六面体の形態を有し、且つ、蓋４が閉鎖された際に箱２の底部壁６の反対側であると共にこれに対して平行である上部壁１０と、互いに反対側であると共に平行であり、且つ、蓋４が閉鎖された際に箱２の対応する前部及び後部壁７及び８に対して平行であると共にこれらの上に重畳する前部壁１１及び後部壁１２と、蓋４が閉鎖された際に箱２の対応する側壁９に対して平行であると共にこれらの上に重畳する２つの平行な側壁１３と、を有する。
【００１２】
図４に示されているように、蓋４は、蓋４の後部壁１２を箱２の後部壁８と一体である外側接続壁１５に対して接続するヒンジ１４により、箱２に対してヒンジ結合されている。図５に示されているように、外側接続壁１５（即ち、外側から可視状態にあるもの）は、上端部において、蓋４のヒンジ１４に沿って蓋４の後部壁１２に対して接続されており、且つ、内側接続壁１６（即ち、一側における箱２の後部壁８と他側における蓋４の後部壁１２及び外側接続壁１５の間に挿入されることによって可視状態にはないもの）は、下端部において、横断方向折曲線１７ａに沿って外側接続壁１５の下端部に対して接続され、上端部において、横断方向折曲線１７ｂに沿って箱２の後部壁８の上端部に対して接続され、且つ、糊１８及び１９により、一側において外側接続壁１５に（但し、蓋４の後部壁１２にではない）、且つ、他側において箱２の後部壁８に、糊付けされている。
【００１３】
図１に示されているように、蓋４の上部壁１０は、蓋４が閉鎖された際に、蓋４の前部壁１１が箱２の前部壁７上に重畳すると共にこれを完全にカバーし、且つ、蓋４の側壁１３が箱２の側壁９上に重畳すると共にこれらを完全にカバーするように、蓋２の底部壁６よりも大きい（即ち、長く且つ幅広である）。蓋４の上部壁１０は、蓋４が閉鎖された際に、蓋４の前部壁１１が箱２の前部壁７上にぴったりとフィットし、且つ、蓋４の側壁１３が箱の側壁９上にぴったりとフィットするように、箱２の底部壁６よりもわずかに大きいだけであることに留意することが重要である。この結果、この特徴により、箱２は、蓋の開閉に伴って蓋をガイド及び支持し、且つ、蓋４の自由な運動をわずかに妨げることにより、箱自体と閉鎖された蓋の間の接触を維持する。換言すれば、箱２は、このタイプの従来のパッケージにおいて通常はカラーによって実行されていた機能を実行しており、これにより、カラーを紙巻きたばこのパッケージ１から除去することを可能にしている。
【００１４】
図１〜図５の箱２及び蓋４は、図６に示されている単一のブランク２０から形成されており、且つ、このブランク２０は、箱２及び蓋４の対応する壁について上付き文字を有する同一の参照符号を使用して示されているいくつかのパネルを有する。
【００１５】
図６を参照すれば、ブランク２０は、２つの内側長手方向折曲線２１ａと、いくつかの横断方向折曲線１７と、を有し、横断方向折曲線１７は、２つの内側長手方向折曲線２１ａの間に、蓋４の前部壁１１を形成するパネル１１′と、蓋４の上部壁１０を形成するパネル１０′と、蓋４のヒンジ１４によって分離された蓋４の後部壁１２と外側接続壁１５を形成するパネル１２′＋１５′と、内側接続壁１６を形成するパネル１６′と、箱２の後部壁８を形成するパネル８′と、箱２の底部壁６を形成するパネル６′と、箱２の前部壁７を形成するパネル７′と、を規定している。
【００１６】
ブランク２０は、パネル１０′の両側に配置され、２つの内側長手方向折曲線２１ａに沿ってパネル１０′に接続され、且つ、蓋４の２つの側壁１３を形成する２つのパネル１３′と、パネル１３′の両側に配置され、２つの外側長手方向折曲線２１ｂに沿ってパネル１３′に接続され、且つ、蓋４の側壁１３を内部において強化するために対応するパネル１３′上に重畳すると共にこれに対して糊付けされる２つの補強ウィング１３″と、を有する。
【００１７】
ブランク２０は、横断方向折曲線１７に沿ってパネル１１′に接続され、且つ、蓋４の前部壁１１を内部において強化するためにパネル１１′上に重畳すると共にこれに対して糊付けされる補強フラップ１１″を有する。ブランク２０は、好ましくは、パネル１１′と補強フラップ１１″の間において対称的に形成され、且つ、蓋４を把持すると共に開放するための窓２２（図１）を蓋４の前部壁１１内に規定する貫通孔２２′を有する。蓋４の前部壁１１内の窓２２の代替肢として、蓋２の前部壁１１内の窓２２と同一の２つの窓を、蓋の側壁１３内に対称的に形成してもよく、且つ、パネル１３′と補強ウィング１３″の間に対称的に形成される対応する貫通孔によって規定してもよい。
【００１８】
パネル１１′は、パネル１１′の両側に配置され、２つの内側長手方向折曲線２１ａに沿ってパネル１１′に接続され、且つ、パネル１３′に糊付けされる２つのタブ２３を有する。パネル１２′＋１５′は、パネル１２′＋１５′の両側に配置され、且つ、２つの内側長手方向折曲線２１ａに沿ってパネル１２′＋１５′に接続され、且つ、パネル１３′に対して糊付けされる２つのタブ２４を有する。２つの補強ウィング１３″の外側縁部は、好ましくは、（図１１に明瞭に示されているように）、パネル１３′の内側表面を実質的に完全にカバーしつつ、同時に、タブ２３及び２４と決してオーバーラップしないように、タブ２３及び２４の形状と相補的な形状を生成するように（ｔｏ  ｎｅｇａｔｉｖｅｌｙ  ｒｅｐｒｏｄｕｃｅ）形成されている。
【００１９】
一実施形態においては、それぞれのタブ２４は、蓋４のそれぞれの側壁１３が、まず、蓋４を開封した際に断裂する断裂線に沿って箱２の後部壁８に接続されるように、内側長手方向折曲線２１ａの非断裂可能部分に沿って蓋４の後部壁１２に接続され、且つ、内側長手方向折曲線２１ａの断裂部分に沿って外側接続壁１５に接続される。この特徴は、パッケージ１を製造する包装装置から透明な上包をパッケージ１に施すセロハン（登録商標）装置にパッケージ１を転送する際に閉鎖位置において蓋４を維持することによって紙巻きたばこのパッケージ１を製造する際に特に有用である。
【００２０】
ブランク２０は、パネル６′の両側に配置され、２つの内側長手方向折曲線２１ａに沿ってパネル６′に接続され、且つ、箱２の２つの側壁９を形成する２つのパネル９′を有する。それぞれのパネル９′は、横断方向折曲線１７に沿ってパネル９′に接続され、且つ、パネル８′に糊付けされるタブ２５と、タブ２５とは反対の端部において横断方向折曲線１７に沿ってパネル９′に接続され、且つ、パネル７′に糊付けされるタブ２６と、を有する。
【００２１】
ブランク２０の１つの可能な糊の塗布レイアウトが図７及び図８に示されており、これらは、糊１８が塗布されたブランク２０の前面領域（図７）と、糊１９が塗布されたブランク２０の後面領域（図８）と、を示している。例えば、糊１９が塗布されたブランク２０の後面領域を増大させ、且つ、相応して、糊１８が塗布されたブランク２０の前面領域を低減させることにより、図７及び図８に示されているブランク２０の糊塗布レイアウトを変化させてもよいことは明らかである。
【００２２】
以下、図９〜図１７を参照し、ブランク２０を折曲して紙巻きたばこのパッケージ１を形成する好適な（但し、非限定的な）方法について説明することとする。
【００２３】
図９に示されているように、まず、横断方向折曲線１７ａを中心として、パネル１６′との関係において、且つ、この上部に、１８０°だけ、パネル１２′＋１５′を折曲することにより、且つ、横断方向折曲線１７ｂを中心として、パネル８′との関係において、且つ、この上部に、１８０°だけ、パネル１６′を折曲することにより、ブランク２０をそれ自体上において（即ち、一群の紙巻きたばこ３がパネル６′上に配置される前に）折曲する。パネル１２′＋１５′及び１６′は、好ましくは、例えば、Ｚ字形状の折曲を形成するように、且つ、明らかに、まず、図７及び図８に示されているように、糊１８及び１９をパネル１５′、１６′、及び８′に塗布した後に、パネル１６′及び８′との関係において、同時に、１８０°だけ、折曲される。
【００２４】
好ましくは、横断方向折曲線１７を中心として、パネル１１′との関係において、且つ、この上部に、１８０°だけ、補強フラップ１１″を折曲することにより、且つ、対応する外側長手方向折曲線２１ｂを中心として、対応するパネル１３′との関係において、且つ、この上部に、１８０°だけ、それぞれの補強ウィング１３″を折曲することにより、ブランク２０をそれ自体上において（即ち、一群の紙巻きたばこ３がパネル６′上に配置される前に）折曲する。補強フラップ１１″及び補強ウィング１３″が、パネル１１′及びパネル１３′との関係において、１８０°だけ、折曲される前に、例えば、図７に示されているように、補強フラップ１１″、補強ウィング１３″、及びパネル１１′及び１３′に糊１８が塗布されることは明らかである。
【００２５】
上述のように折曲された際に、ブランク２０は、図１０及び図１１に示されているような外観を有することになる。この時点において、一群の紙巻きたばこ３を、ブランク２０上に、具体的には、ブランク２０のパネル６′上に、配置し、且つ、一群の紙巻きたばこ３の周りに箱２及び蓋４を形成するために、ブランク２０を一群の紙巻きたばこ３の周りにおいて折曲する。
【００２６】
図１２に示されているように、一群の紙巻きたばこ３がパネル６′上に配置されたら（即ち、パネル１２′＋１５′及び１６′、補強フラップ１１″、及び補強ウィング１３″が折曲されたら）、内側長手方向折曲線２１ａを中心として、パネル６′との関係において、且つ、一群の紙巻きたばこ３上に、９０°だけ、箱２の側壁９を形成するそれぞれのパネル９′を折曲する。この後に、図１３に示されているように、横断方向折曲線１７を中心として、対応するパネル９′との関係において、且つ、一群の紙巻きたばこ３上に、９０°だけ、それぞれのタブ２５を折曲し、且つ、横断方向折曲線１７を中心として、対応するパネル９′との関係において、且つ、一群の紙巻きたばこ３上に、９０°だけ、それぞれのタブ２６を折曲する。
【００２７】
図１４に示されているように、２つのパネル９′、２つのタブ２５、及び２つのタブ２６が、９０°だけ、折曲されたら、横断方向折曲線１７を中心として、パネル６′との関係において、且つ、一群の紙巻きたばこ３上に、９０°だけ、パネル１２′＋１５′、パネル１６′、及びパネル８′を一緒に折曲し、この後に、図１５に示されているように、横断方向折曲線１７を中心として、パネル１２′＋１５′との関係において、且つ、一群の紙巻きたばこ３上に、９０°だけ、パネル１０′を折曲する。
【００２８】
この時点において、図１６に示されているように、横断方向折曲線１７を中心として、パネル１０′との関係において、且つ、一群の紙巻きたばこ３上に、パネル１１′（並びに、パネル１１′上に重畳すると共に予めこれに対して糊付けされている補強フラップ１１″）を折曲する。図１７に示されているように、パネル１１′、パネル１０′、パネル１２′＋１５′、パネル１６′、及びパネル８′が、９０°だけ、折曲されたら、内側長手方向折曲線２１上を中心として、パネル１１′との関係において、且つ、一群の紙巻きたばこ３上に、９０°だけ、それぞれのタブ２３を折曲し、且つ、内側長手方向折曲線２１ａを中心として、パネル１２′＋１５′との関係において、且つ、一群の紙巻きたばこ３上に、９０°だけ、それぞれのタブ２４を折曲する。
【００２９】
最後に、内側長手方向折曲線２１ａを中心として、パネル１０′との関係において、且つ、一群の紙巻きたばこ３上に、９０°だけ、それぞれのパネル１３′（並びに、パネル１３′上に重畳されると共に予めこれに対して糊付けされている対応する補強ウィング１３″）を折曲することにより、紙巻きたばこのパッケージ１が完成する。
【００３０】
好適な（明らかに、非限定的な）実施形態においては、一群の紙巻きたばこ３をブランク２０上に配置する前に折曲されるパネル１２′＋１５′及び１６′、補強フラップ１１″、及び補強ウィング１３″は、包装装置外において（例えば、ブランク２０を製造する工場において、或いは、包装装置上流の専用の折曲装置上において）折曲され、且つ、一群の紙巻きたばこ３の周りにおけるブランク２０の後続の折曲は、包装装置（例えば、ＧＤ  Ｓｏｃｉｅｔａ  ｐｅｒ  Ａｚｉｏｎｉ社が製造する「Ｘ６」）上において実行される。
【００３１】
図１８に示されている代替実施形態においては、箱の後部壁１２及び内側接続壁１６は、一群の紙巻きたばこ３からの紙巻きたばこの引出しを簡単にするための、即ち、一群の紙巻きたばこ３の上部壁のみならず、その後部壁の部分に対するユーザーのアクセスをも可能にするための、窓２７を有する。図１９は、図１８の紙巻きたばこのパッケージ１を形成するためのブランク２０を示している。観察することができるように、窓２７を規定する貫通孔２７′がパネル８′及び１６′を貫通して形成されており、且つ、これは、横断方向折曲線１７ｂを中心として鏡面対称である。
【００３２】
一実施形態においては、蓋４を開放するために克服することを要する所与の力によって閉鎖された蓋４を箱２との接触状態に保持するために、保持装置を設けてもよい。例えば、保持装置は、蓋４の前部壁１１から突出すると共に弾性的に曲がって箱２の前部壁７内に形成された対応する座部に係合する弾性変形可能な付属物（又は、蓋４の側壁１３から突出すると共に箱２の側壁９内に形成された対応する座部に係合する２つの付属物）を有してもよい。
【００３３】
一実施形態においては、紙巻きたばこのパッケージ１は、実質的に審美性を目的として箱２及び蓋４の外側表面をカバーするために箱２及び蓋４の外側に糊付けされる外側ステッカを有してもよいが、これは、箱２と蓋４の間の、且つ、ヒンジ１４の外側に配置されると共にヒンジ１４と並行して動作する、更なるヒンジを形成するという構造的な機能を有してもよい。
【００３４】
図示されてはいない別の実施形態においては、補強フラップ１１″及び／又は補強ウィング１３″が除去されている。補強フラップ１１″及び補強ウィング１３″は、それぞれ、蓋４の前部壁１１及び側壁１３の厚紙縁部を隠蔽すると共に蓋４の前部壁１１及び側壁１３を補強するように機能している。有用ではあるが、これらの機能は、紙巻きたばこのパッケージ１にとって不可欠なものではなく、従って、包装材を節約し、且つ、ブランク２０の折曲を簡単にするために、補強フラップ１１″及び／又は補強ウィング１３″を除去してもよい。
【００３５】
図面に示されている実施形態においては、箱２及び蓋４のすべての縁部は直角である。図示されてはいない変形においては、長手方向及び／又は横断方向の縁部の少なくともいくつかは、傾斜しているか又は丸くなっている。
【００３６】
上述の紙巻きたばこのパッケージ１は、多数の利点を有する。
【００３７】
具体的には、その設計に起因して標準的な包装装置上において容易に処理可能である単一のブランク２０から箱２及び蓋４が製造されることにより、このたばこのパッケージは、安価であり、且つ、製造が極めて迅速である。
【００３８】
更には、上述の紙巻きたばこのパッケージ１においては、箱２と蓋４の間の接続は、（従来の「ショルダボックス」パッケージにおける単純な外側ステッカとは対照的に）ブランク２０上に直接的に形成されたヒンジ１４によって主に規定されていることにより、極めて強力且つ正確である。蓋４による箱２の正確な閉鎖は、ほんのわずかなずれによっても妨げられる（即ち、蓋４と箱２の摩擦が過剰になり、これにより、開閉が困難になる）という点において、箱２と蓋４の間のヒンジの正確な位置決めは特に重要である。
【００３９】
ヒンジ１４の領域における紙巻きたばこのパッケージ１の３倍の厚さ（図５に明瞭に示されているように、蓋４の後部壁１２、外側接続壁１５、内側接続壁１６、及び箱の後部壁８を重畳させたことによるもの）に起因し、ヒンジ領域は、特に強力であり且つ剛性を有しており、これにより、箱２との関係における蓋４の正確且つ一貫性を有する回転が保証されている（即ち、損耗の影響を受けない）。
【００４０】
最後に、上述の紙巻きたばこのパッケージ１は、箱２及び蓋４の周りに糊付けされる外側ステッカを必ずしも必要としてはいない。製造に費用を所要し、且つ、正確に適用することが困難であるため、外側ステッカを除去することにより、費用を大幅に節約することができる。更には、箱２及び蓋４の周りに糊付けされる外側ステッカを選択した場合にも、それは、小さなものであってよく、従って、材料の消費量が低減され、且つ、対応する折曲作業が簡単になる。この理由は、ブランク２０上に直接的に形成されたヒンジ１４によって箱２及び蓋４が接続されているということにあり、これは、外側ステッカは、構造的な機能を有してはおらず、純粋に審美的なものであるということを意味している。
【００４１】
又、その多数の利点に鑑み、紙巻きたばこのパッケージ１の設計は、その他のたばこ物品（例えば、葉巻）のパッケージの製造に対して、或いは、一群の紙巻きたばこ３とは対照的に紙巻きたばこの小包の群を収容しているという点を除いて上述の紙巻きたばこのパッケージ１と実質的に同一である紙巻きたばこのカートンの製造に対して、適用してもよい。
【図１】
2013519595.tif 000003
【図２】
2013519595.tif 000004
【図３】
2013519595.tif 000005
【図４】
2013519595.tif 000006
【図５】
2013519595.tif 000007
【図６】
2013519595.tif 000008
【図７】
2013519595.tif 000009
【図８】
2013519595.tif 000010
【図９】
2013519595.tif 000011
【図１０】
2013519595.tif 000012
【図１１】
2013519595.tif 000013
【図１２】
2013519595.tif 000014
【図１３】
2013519595.tif 000015
【図１４】
2013519595.tif 000016
【図１５】
2013519595.tif 000017
【図１６】
2013519595.tif 000018
【図１７】
2013519595.tif 000019
【図１８】
2013519595.tif 000020
【図１９】
2013519595.tif 000021
【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
たばこ物品のパッケージ（１）であって、
開放した上端部（５）と、開放した上端部（５）とは反対側の底部壁（６）と、互いに反対側であると共に平行である前部壁（７）及び後部壁（８）と、２つの反対側の平行な側壁（９）と、を有する平行六面体形状の箱（２）と、
箱（２）内に収容される一群のたばこ物品（３）と、
蓋（４）であって、ヒンジ（１４）によって箱（２）にヒンジ結合され、且つ、蓋（４）が閉鎖された際に箱（２）の底部壁（６）の反対側であると共にこれに対して平行である上部壁（１０）と、蓋（４）が閉鎖された際に箱（２）の対応する前部及び後部壁（７、８）に対して平行である前部壁（１１）及び後部壁（１２）と、蓋（４）が閉鎖された際に箱（２）の対応する側壁（９）に対して平行である２つの側壁（１３）と、を有する蓋（４）と、
を有し、
蓋（４）のヒンジ（１４）に沿って蓋（４）の後部壁（１２）に対して上端部において接続された第１接続壁（１５）と、
第１横断方向折曲線（１７ａ）に沿って第１接続壁（１５）の下端部に対して下端部において接続し、第２横断方向折曲線（１７ｂ）に沿って箱（２）の後部壁（８）の上端部に対して上端部において接続し、且つ、一側において第１接続壁（１５）に、且つ、他側において箱（２）の後部壁（８）に、糊付けされる第２接続壁（１６）と、
を有することを特徴とするパッケージ（１）。
【請求項２】
蓋（４）のそれぞれの側壁（１３）は、はじめに、蓋（４）を開封した際に断裂する断裂線に沿って箱（２）の後部壁（８）に対して接続する請求項１に記載のたばこ物品のパッケージ。
【請求項３】
パッケージ（１）は、一群のたばこ物品（３）の周りにおいて折曲される単一のブランク（２０）から製造され、ブランク（２０）は、２つの内側長手方向折曲線（２１ａ）と、いくつかの横断方向折曲線（１７）と、を有し、
横断方向折曲線（１７）は、２つの内側長手方向折曲線（２１ａ）の間に、
蓋（４）の前部壁（１１）を形成する第１パネル（１１′）と、
蓋（４）の上部壁（１０）を形成する第２パネル（１０′）と、
蓋（４）のヒンジ（１４）によって互いに分離された蓋（４）の後部壁（１２）と第１接続壁（１５）を形成する第３パネル（１２′＋１５′）と、
第２接続壁（１６）を形成する第４パネル（１６′）と、
箱（２）の後部壁（８）を形成する第５パネル（８′）と、
箱（２）の底部壁（６）を形成する第６パネル（６′）と、
箱（２）の前部壁（７）を形成する第７パネル（７′）と、
を規定する請求項１又は２に記載のたばこ物品のパッケージ。
【請求項４】
ブランク（２０）は、横断方向折曲線（１７）に沿って第１パネル（１１′）に接続し、且つ、蓋（４）の前部壁（１１）を内部において補強するために第１パネル（１１′）上に重畳すると共にこれに対して糊付けされる補強フラップ（１１″）を有する請求項３に記載のたばこ物品のパッケージ。
【請求項５】
ブランク（２０）は、第１パネル（１１′）と補強フラップ（１１″）の間に対称的に形成され、且つ、蓋（４）を把持及び開放するための窓（２２）を蓋（４）の前部壁（１１）内に規定する第１貫通孔（２２′）を有する請求項４に記載のたばこ物品のパッケージ。
【請求項６】
ブランク（２０）は、
第２パネル（１０′）の両側に配置され、２つの内側長手方向折曲線（２１ａ）に沿って第２パネル（１０′）に接続し、且つ、蓋（４）の２つの側壁（１３）を形成する２つの第８パネル（１３′）と、
第８パネル（１３′）の両側に配置され、２つの外側長手方向折曲線（２１ｂ）に沿って第８パネル（１３′）に接続し、且つ、蓋（４）の側壁（１３）を内部において補強するために対応する第８パネル（１３′）上に重畳すると共にこれに対して糊付けされる２つの補強ウィング（１３″）と、
を有する請求項３〜５のいずれか一項に記載のたばこ物品のパッケージ。
【請求項７】
前記第１パネル（１１′）は、第１パネル（１１′）の両側に配置され、２つの長手方向折曲線（２１ａ）に沿って第１パネル（１１′）に接続し、且つ、２つの第８パネル（１３′）に糊付けされる２つの第１タブ（２３）を有し、且つ、
第３パネル（１２′＋１５′）は、第３パネル（１２′＋１５′）の両側に配置され、且つ、２つの内側長手方向折曲線（２１ａ）に沿って第３パネル（１２′＋１５′）に接続し、且つ、２つの第８パネル（１３′）に糊付けされる２つの第２タブ（２４）を有する請求項６に記載のたばこ物品のパッケージ。
【請求項８】
２つの補強ウィング（１３″）は、第１タブ（２３）及び第２タブ（２４）と決してオーバーラップしないように、第１タブ（２３）及び第２タブ（２４）の形状と相補的な形状を生成するように、外側縁部に沿って成形される請求項７に記載のたばこ物品のパッケージ。
【請求項９】
それぞれの第２タブ（２４）は、内側長手方向折曲線（２１ａ）の非断裂可能部分に沿って蓋（４）の後部壁（１２）に接続し、且つ、内側長手方向折曲線（２１ａ）の断裂部分に沿って第１接続壁（１５）に接続する請求項７又は８に記載のたばこ物品のパッケージ。
【請求項１０】
ブランク（２０）は、第６パネル（６′）の両側に配置され、２つの内側長手方向折曲線（２１ａ）に沿って第６パネル（６′）に接続し、且つ、箱（２）の２つの側壁（９）を形成する２つの第９パネル（９′）を有し、且つ、
それぞれの第９パネル（９′）は、横断方向折曲線（１７）に沿って第９パネル（９′）に接続し、且つ、第５パネル（８′）に糊付けされる第３タブ（２５）と、第３タブ（２５）の反対側の端部において横断方向折曲線（１７）に沿って第９パネル（９′）に接続し、且つ、第７パネル（７′）に糊付けされる第４タブ（２６）と、を有する請求項３〜９のいずれか一項に記載のたばこ物品のパッケージ。
【請求項１１】
ブランク（２０）は、第４パネル（１６′）と第５パネル（８′）の間に対称的に形成され、且つ、蓋（４）の後部壁（１２）内に窓（２７）を規定する第２貫通孔（２７′）を有する請求項３〜９のいずれか一項に記載のたばこ物品のパッケージ。
【請求項１２】
蓋（４）の上部壁（１０）は、蓋（４）が閉鎖された際に、蓋（４）の前部壁（１１）が箱（２）の前部壁（７）上に重畳すると共にこれを完全にカバーし、且つ、蓋（４）の側壁（１３）が箱（２）の側壁（９）上に重畳すると共にこれらを完全にカバーするように、箱（２）の底部壁（６）よりも大きい請求項１〜１１のいずれか一項に記載のたばこ物品のパッケージ。
【請求項１３】
パッケージ（１）は、一群のたばこ物品（３）の周りにおいて折曲される単一のブランク（２０）から製造され、ブランク（２０）は、２つの内側長手方向折曲線（２１ａ）と、いくつかの横断方向折曲線（１７）と、を有し、
横断方向折曲線（１７）は、２つの内側長手方向折曲線（２１ａ）の間に、
蓋（４）の前部壁（１１）を形成する第１パネル（１１′）と、
蓋（４）の上部壁（１０）を形成する第２パネル（１０′）と、
蓋（４）のヒンジ（１４）によって互いに分離された蓋（４）の後部壁（１２）と第１接続壁（１５）を形成する第３パネル（１２′＋１５′）と、
第２接続壁（１６）を形成する第４パネル（１６′）と、
箱（２）の後部壁（８）を形成する第５パネル（８′）と、
箱（２）の底部壁（６）を形成する第６パネル（６′）と、
箱（２）の前部壁（７）を形成する第７パネル（７′）と、
を規定する請求項１〜１２のいずれか一項に記載のたばこ物品のパッケージ。
【請求項１４】
ブランク（２０）を折曲してたばこ物品のパッケージ（１）を形成する方法であって、
たばこ物品のパッケージ（１）は、
開放した上端部（５）と、開放した上端部（５）とは対側の底部壁（６）と、互いに反対側であると共に平行である前部壁（７）及び後部壁（８）と、２つの反対側の平行な側壁（９）と、を有する平行六面体形状の箱（２）と、
箱（２）内に収容される一群のたばこ物品（３）と、
蓋（４）であって、ヒンジ（１４）によって箱（２）にヒンジ結合され、且つ、蓋（４）が閉鎖された際に箱（２）の底部壁（６）の反対側であると共にこれに対して平行である上部壁（１０）と、蓋（４）が閉鎖された際に箱（２）の対応する前部及び後部壁（７、８）に対して平行である前部壁（１１）及び後部壁（１２）と、蓋（４）が閉鎖された際に箱（２）の対応する側壁（９）に対して平行である２つの側壁（１３）と、を有する蓋（４）と、
蓋（４）のヒンジ（１４）に沿って蓋（４）の後部壁（１２）に対して上端部において接続された第１接続壁（１５）と、
第１横断方向折曲線（１７ａ）に沿って第１接続壁（１５）の下端部に対して下端部において接続し、第２横断方向折曲線（１７ｂ）に沿って箱（２）の後部壁（８）の上端部に対して上端部において接続し、且つ、一側において第１接続壁（１５）に、且つ、他側において箱（２）の後部壁（８）に、糊付けされる第２接続壁（１６）と、
を有し、
ブランク（２０）は、２つの内側長手方向折曲線（２１ａ）と、いくつかの横断方向折曲線（１７）と、を有し、
横断方向折曲線（１７）は、２つの内側長手方向折曲線（２１ａ）の間に、
蓋（４）の前部壁（１１）を形成する第１パネル（１１′）と、
蓋（４）の上部壁（１０）を形成する第２パネル（１０′）と、
蓋（４）のヒンジ（１４）によって互いに分離された蓋（４）の後部壁（１２）と第１接続壁（１５）を形成する第３パネル（１２′＋１５′）と、
第２接続壁（１６）を形成する第４パネル（１６′）と、
箱（２）の後部壁（８）を形成する第５パネル（８′）と、
箱（２）の底部壁（６）を形成する第６パネル（６′）と、
箱（２）の前部壁（７）を形成する第７パネル（７′）と、
を規定する、方法であって、
第４パネル（１６′）との関係において、且つ、第１横断方向折曲線（１７ａ）を中心として、１８０°だけ、第３パネル（１２′＋１５′）を折曲し、第４パネル（１６′）上に第３パネル（１２′＋１５′）を重畳させるステップと、
第５パネル（８′）との関係において、且つ、第２横断方向折曲線（１７ｂ）を中心として、１８０°だけ、第４パネル（１６′）を折曲し、第５パネル（８′）上に前記第４パネル（１６′）を重畳させるステップと、
第４パネル（１６′）との関係における１８０°だけの第３パネル（１２′＋１５′）の、且つ、第５パネル（８′）との関係における１８０°だけの第４パネル（１６′）の、折曲を完了させた後に、第６パネル（６′）上に一群のたばこ物品（３）を配置するステップと、
第６パネル（６′）上に載置された一群のたばこ物品（３）の周りにおいてブランク（２０）の残りの部分を折曲するステップと、
を有する方法。
【請求項１５】
Ｚ字形の折曲を形成するように、第４パネル（１６′）との関係において、１８０°だけ、第３パネル（１２′＋１５′）を、且つ、第５パネル（８′）との関係において、１８０°だけ、第４パネル（１６′）を、同時に折曲する更なるステップを有する請求項１４に記載の方法。
【請求項１６】
第６パネル（６′）上に一群のたばこ物品（３）を配置する前に、
横断方向折曲線（１７）を中心として、且つ、第１パネル（１１′）との関係において、１８０°だけ、補強フラップ（１１″）を折曲し、第１パネル（１１′）上に補強フラップ（１１″）を重畳させるステップと、
外側長手方向折曲線（２１ｂ）を中心として、且つ、蓋（４）の側壁（１３）を形成する対応する第８パネル（１３′）との関係において、１８０°だけ、それぞれの補強ウィング（１３″）を折曲し、第８パネル（１３′）上に補強ウィング（１３″）を重畳させるステップと、
を更に有する請求項１４又は１５に記載の方法。
【請求項１７】
第６パネル（６′）上に一群のたばこ物品（３）を配置した後に、
内側長手方向折曲線（２１ａ）を中心として、第６パネル（６′）との関係において、且つ、一群のたばこ物品（３）上に、９０°だけ、箱（２）の側壁（９）を形成するそれぞれの第９パネル（９′）を折曲するステップと、
横断方向折曲線（１７）を中心として、一群のたばこ物品（３）上に、且つ、箱（２）の側壁（９）を形成する対応する第９パネル（９′）との関係において、９０°だけ、それぞれの第３タブ（２５）を折曲するステップと、
横断方向折曲線（１７）を中心として、一群のたばこ物品（３）上に、且つ、箱（２）の側壁（９）を形成する対応する第９パネル（９）との関係において、９０°だけ、それぞれの第４タブ（２６）を折曲するステップと、
を更に有する請求項１４〜１６のいずれか一項に記載の方法。
【請求項１８】
２つの第９パネル（９′）、２つの第３タブ（２５）、及び２つの第４タブ（２６）を、９０°だけ、折曲した後に、
横断方向折曲線（１７）を中心として、一群のたばこ物品（３）上に、且つ、第６パネル（６′）との関係において、９０°だけ、第３パネル（１２′＋１５′）、第４パネル（１６′）、及び第５パネル（８′）を一緒に折曲するステップと、
横断方向折曲線（１７）を中心として、一群のたばこ物品（３）上に、且つ、第３パネル（１２′＋１５′）との関係において、９０°だけ、第２パネル（１０′）を折曲するステップと、
横断方向折曲線（１７）を中心として、一群のたばこ物品（３）上に、且つ、第２パネル（１０′）との関係において、９０°だけ、第１パネル（１１′）を折曲するステップと、
を更に有する請求項１７に記載の方法。
【請求項１９】
第１パネル（１１′）、第２パネル（１０′）、第３パネル（１２′＋１５′）、第４パネル（１６′）、及び第５パネル（８′）を、９０°だけ、折曲した後に、
内側長手方向折曲線（２１ａ）を中心として、一群のたばこ物品（３）上に、且つ、第１パネル（１１′）との関係において、９０°だけ、それぞれの第１タブ（２３）を折曲するステップと、
内側長手方向折曲線（２１ａ）を中心として、一群のたばこ物品（３）上に、且つ、第３パネル（１２′＋１５′）との関係において、９０°だけ、それぞれの第２タブ（２４）を折曲するステップと、
内側長手方向折曲線（２１ａ）を中心として、一群のたばこ物品（３）上に、且つ、第２パネル（１０′）との関係において、９０°だけ、蓋（４）の側壁（１３）を形成するそれぞれの第８パネル（１３′）を折曲するステップと、
を更に有する請求項１８に記載の方法。
【手続補正書】
【提出日】平成24年8月16日(2012.8.16)
【手続補正１】
【補正対象書類名】特許請求の範囲
【補正対象項目名】全文
【補正方法】変更
【補正の内容】
【特許請求の範囲】
【請求項１】
たばこ物品のパッケージ（１）であって、
開放した上端部（５）と、開放した上端部（５）とは反対側の底部壁（６）と、互いに反対側であると共に平行である前部壁（７）及び後部壁（８）と、２つの反対側の平行な側壁（９）と、を有する平行六面体形状の箱（２）と、
前記箱（２）内に収容される一群のたばこ物品（３）と、
蓋（４）であって、ヒンジ（１４）によって箱（２）にヒンジ結合され、且つ、蓋（４）が閉鎖された際に箱（２）の底部壁（６）の反対側であると共にこれに対して平行である上部壁（１０）と、蓋（４）が閉鎖された際に箱（２）の対応する前部及び後部壁（７、８）に対して平行である前部壁（１１）及び後部壁（１２）と、蓋（４）が閉鎖された際に箱（２）の対応する側壁（９）に対して平行である２つの側壁（１３）と、を有する蓋（４）と、
を有し、
蓋（４）のヒンジ（１４）に沿って蓋（４）の後部壁（１２）に対して上端部において接続された第１接続壁（１５）と、
第１横断方向折曲線（１７ａ）に沿って第１接続壁（１５）の下端部に対して下端部において接続し、第２横断方向折曲線（１７ｂ）に沿って箱（２）の後部壁（８）の上端部に対して上端部において接続し、且つ、一側において第１接続壁（１５）に、且つ、他側において箱（２）の後部壁（８）に、糊付けされる第２接続壁（１６）と、
を有することを特徴とするパッケージ（１）。
【請求項２】
蓋（４）のそれぞれの側壁（１３）は、はじめに、蓋（４）を開封した際に断裂する断裂線に沿って箱（２）の後部壁（８）に対して接続する請求項１に記載のたばこ物品のパッケージ。
【請求項３】
パッケージ（１）は、一群のたばこ物品（３）の周りにおいて折曲される単一のブランク（２０）から製造され、ブランク（２０）は、２つの内側長手方向折曲線（２１ａ）と、いくつかの横断方向折曲線（１７）と、を有し、
横断方向折曲線（１７）は、２つの内側長手方向折曲線（２１ａ）の間に、
蓋（４）の前部壁（１１）を形成する第１パネル（１１′）と、
蓋（４）の上部壁（１０）を形成する第２パネル（１０′）と、
蓋（４）のヒンジ（１４）によって互いに分離された蓋（４）の後部壁（１２）と第１接続壁（１５）を形成する第３パネル（１２′＋１５′）と、
第２接続壁（１６）を形成する第４パネル（１６′）と、
箱（２）の後部壁（８）を形成する第５パネル（８′）と、
箱（２）の底部壁（６）を形成する第６パネル（６′）と、
箱（２）の前部壁（７）を形成する第７パネル（７′）と、
を規定する請求項１又は２に記載のたばこ物品のパッケージ。
【請求項４】
ブランク（２０）は、横断方向折曲線（１７）に沿って第１パネル（１１′）に接続し、且つ、蓋（４）の前部壁（１１）を内部において補強するために第１パネル（１１′）上に重畳すると共にこれに対して糊付けされる補強フラップ（１１″）を有する請求項３に記載のたばこ物品のパッケージ。
【請求項５】
ブランク（２０）は、第１パネル（１１′）と補強フラップ（１１″）の間に対称的に形成され、且つ、蓋（４）を把持及び開放するための窓（２２）を蓋（４）の前部壁（１１）内に規定する第１貫通孔（２２′）を有する請求項４に記載のたばこ物品のパッケージ。
【請求項６】
ブランク（２０）は、
第２パネル（１０′）の両側に配置され、２つの内側長手方向折曲線（２１ａ）に沿って第２パネル（１０′）に接続し、且つ、蓋（４）の２つの側壁（１３）を形成する２つの第８パネル（１３′）と、
第８パネル（１３′）の両側に配置され、２つの外側長手方向折曲線（２１ｂ）に沿って第８パネル（１３′）に接続し、且つ、蓋（４）の側壁（１３）を内部において補強するために対応する第８パネル（１３′）上に重畳すると共にこれに対して糊付けされる２つの補強ウィング（１３″）と、
を有する請求項３〜５のいずれか一項に記載のたばこ物品のパッケージ。
【請求項７】
第１パネル（１１′）は、第１パネル（１１′）の両側に配置され、２つの内側長手方向折曲線（２１ａ）に沿って第１パネル（１１′）に接続し、且つ、２つの第８パネル（１３′）に糊付けされる２つの第１タブ（２３）を有し、且つ、
第３パネル（１２′＋１５′）は、第３パネル（１２′＋１５′）の両側に配置され、且つ、２つの内側長手方向折曲線（２１ａ）に沿って第３パネル（１２′＋１５′）に接続し、且つ、２つの第８パネル（１３′）に糊付けされる２つの第２タブ（２４）を有する請求項６に記載のたばこ物品のパッケージ。
【請求項８】
２つの補強ウィング（１３″）は、第１タブ（２３）及び第２タブ（２４）と決してオーバーラップしないように、第１タブ（２３）及び第２タブ（２４）の形状と相補的な形状を生成するように、外側縁部に沿って成形される請求項７に記載のたばこ物品のパッケージ。
【請求項９】
それぞれの第２タブ（２４）は、内側長手方向折曲線（２１ａ）の非断裂可能部分に沿って蓋（４）の後部壁（１２）に接続し、且つ、内側長手方向折曲線（２１ａ）の断裂部分に沿って第１接続壁（１５）に接続する請求項７又は８に記載のたばこ物品のパッケージ。
【請求項１０】
ブランク（２０）は、第６パネル（６′）の両側に配置され、２つの内側長手方向折曲線（２１ａ）に沿って第６パネル（６′）に接続し、且つ、箱（２）の２つの側壁（９）を形成する２つの第９パネル（９′）を有し、且つ、
それぞれの第９パネル（９′）は、横断方向折曲線（１７）に沿って第９パネル（９′）に接続し、且つ、第５パネル（８′）に糊付けされる第３タブ（２５）と、第３タブ（２５）の反対側の端部において横断方向折曲線（１７）に沿って第９パネル（９′）に接続し、且つ、第７パネル（７′）に糊付けされる第４タブ（２６）と、を有する請求項３〜９のいずれか一項に記載のたばこ物品のパッケージ。
【請求項１１】
ブランク（２０）は、第４パネル（１６′）と第５パネル（８′）の間に対称的に形成され、且つ、蓋（４）の後部壁（１２）内に窓（２７）を規定する第２貫通孔（２７′）を有する請求項３〜９のいずれか一項に記載のたばこ物品のパッケージ。
【請求項１２】
蓋（４）の上部壁（１０）は、蓋（４）が閉鎖された際に、蓋（４）の前部壁（１１）が箱（２）の前部壁（７）上に重畳すると共にこれを完全にカバーし、且つ、蓋（４）の側壁（１３）が箱（２）の側壁（９）上に重畳すると共にこれらを完全にカバーするように、箱（２）の底部壁（６）よりも大きい請求項１〜１１のいずれか一項に記載のたばこ物品のパッケージ。
【請求項１３】
ブランク（２０）を折曲してたばこ物品のパッケージ（１）を形成する方法であって、
たばこ物品のパッケージ（１）は、
開放した上端部（５）と、開放した上端部（５）とは反対側の底部壁（６）と、互いに反対側であると共に平行である前部壁（７）及び後部壁（８）と、２つの反対側の平行な側壁（９）と、を有する平行六面体形状の箱（２）と、
箱（２）内に収容される一群のたばこ物品（３）と、
蓋（４）であって、ヒンジ（１４）によって箱（２）にヒンジ結合され、且つ、蓋（４）が閉鎖された際に箱（２）の底部壁（６）の反対側であると共にこれに対して平行である上部壁（１０）と、蓋（４）が閉鎖された際に箱（２）の対応する前部及び後部壁（７、８）に対して平行である前部壁（１１）及び後部壁（１２）と、蓋（４）が閉鎖された際に箱（２）の対応する側壁（９）に対して平行である２つの側壁（１４）と、を有する蓋（４）と、
蓋（４）のヒンジ（１４）に沿って蓋（４）の後部壁（１２）に対して上端部において接続された第１接続壁（１５）と、
第１横断方向折曲線（１７ａ）に沿って第１接続壁（１５）の下端部に対して下端部において接続し、第２横断方向折曲線（１７ｂ）に沿って箱（２）の後部壁（８）の上端部に対して上端部において接続し、且つ、一側において第１接続壁（１５）に、且つ、他側において箱（２）の後部壁（８）に、糊付けされる第２接続壁（１６）と、
を有し、
ブランク（２０）は、２つの内側長手方向折曲線（２１ａ）と、いくつかの横断方向折曲線（１７）と、を有し、
横断方向折曲線（１７）は、２つの内側長手方向折曲線（２１ａ）の間に、
蓋（４）の前部壁（１１）を形成する第１パネル（１１′）と、
蓋（４）の上部壁（１０）を形成する第２パネル（１０′）と、
蓋（４）のヒンジ（１４）によって互いに分離された蓋（４）の後部壁（１２）と第１接続壁（１５）を形成する第３パネル（１２′＋１５′）と、
第２接続壁（１６）を形成する第４パネル（１６′）と、
箱（２）の後部壁（８）を形成する第５パネル（８′）と、
箱（２）の底部壁（６）を形成する第６パネル（６′）と、
箱（２）の前部壁（７）を形成する第７パネル（７′）と、
を規定する、方法であって、
第４パネル（１６′）との関係において、且つ、第１横断方向折曲線（１７ａ）を中心として、１８０°だけ、第３パネル（１２′＋１５′）を折曲し、第４パネル（１６′）上に第３パネル（１２′＋１５′）を重畳させるステップと、
第５パネル（８′）との関係において、且つ、第２横断方向折曲線（１７ｂ）を中心として、１８０°だけ、第４パネル（１６′）を折曲し、第５パネル（８′）上に第４パネル（１６′）を重畳させるステップと、
第４パネル（１６′）との関係における１８０°だけの第３パネル（１２′＋１５′）の、且つ、第５パネル（８′）との関係における１８０°だけの第４パネル（１６′）の、折曲を完了させた後に、第６パネル（６′）上に一群のたばこ物品（３）を配置するステップと、
第６パネル（６′）上に載置された一群のたばこ物品（３）の周りにおいてブランク（２０）の残りの部分を折曲するステップと、
を有する方法。
【請求項１４】
Ｚ字形の折曲を形成するように、第４パネル（１６′）との関係において、１８０°だけ、第３パネル（１２′＋１５′）を、且つ、第５パネル（８′）との関係において、１８０°だけ、第４パネル（１６′）を、同時に折曲する更なるステップを有する請求項１３に記載の方法。
【請求項１５】
第６パネル（６′）上に一群のたばこ物品（３）を配置する前に、
横断方向折曲線（１７）を中心として、且つ、第１パネル（１１′）との関係において、１８０°だけ、補強フラップ（１１″）を折曲し、第１パネル（１１′）上に補強フラップ（１１″）を重畳させるステップと、
外側長手方向折曲線（２１ｂ）を中心として、且つ、蓋（４）の側壁（１３）を形成する対応する第８パネル（１３′）との関係において、１８０°だけ、それぞれの補強ウィング（１３″）を折曲し、第８パネル（１３′）上に補強ウィング（１３″）を重畳させるステップと、
を更に有する請求項１３又は１４に記載の方法。
【請求項１６】
第６パネル（６′）上に一群のたばこ物品（３）を配置した後に、
内側長手方向折曲線（２１ａ）を中心として、第６パネル（６′）との関係において、且つ、一群のたばこ物品（３）上に、９０°だけ、箱（２）の側壁（９）を形成するそれぞれの第９パネル（９′）を折曲するステップと、
横断方向折曲線（１７）を中心として、一群のたばこ物品（３）上に、且つ、箱（２）の側壁（９）を形成する対応する第９パネル（９′）との関係において、９０°だけ、それぞれの第３タブ（２５）を折曲するステップと、
横断方向折曲線（１７）を中心として、一群のたばこ物品（３）上に、且つ、箱（２）の側壁（９）を形成する対応する第９パネル（９）との関係において、９０°だけ、それぞれの第４タブ（２６）を折曲するステップと、
を更に有する請求項１３〜１５のいずれか一項に記載の方法。
【請求項１７】
２つの第９パネル（９′）、２つの第３タブ（２５）、及び２つの第４タブ（２６）を、９０°だけ、折曲した後に、
横断方向折曲線（１７）を中心として、一群のたばこ物品（３）上に、且つ、第６パネル（６′）との関係において、９０°だけ、第３パネル（１２′＋１５′）、第４パネル（１６′）、及び第５パネル（８′）を一緒に折曲するステップと、
横断方向折曲線（１７）を中心として、一群のたばこ物品（３）上に、且つ、第３パネル（１２′＋１５′）との関係において、９０°だけ、第２パネル（１０′）を折曲するステップと、
横断方向折曲線（１７）を中心として、一群のたばこ物品（３）上に、且つ、第２パネル（１０′）との関係において、９０°だけ、第１パネル（１１′）を折曲するステップと、
を更に有する請求項１６に記載の方法。
【請求項１８】
第１パネル（１１′）、第２パネル（１０′）、第３パネル（１２′＋１５′）、第４パネル（１６′）、及び第５パネル（８′）を、９０°だけ、折曲した後に、
内側長手方向折曲線（２１ａ）を中心として、一群のたばこ物品（３）上に、且つ、第１パネル（１１′）との関係において、９０°だけ、それぞれの第１タブ（２３）を折曲するステップと、
内側長手方向折曲線（２１ａ）を中心として、一群のたばこ物品（３）上に、且つ、第３パネル（１２′＋１５′）との関係において、９０°だけ、それぞれの第２タブ（２４）を折曲するステップと、
内側長手方向折曲線（２１ａ）を中心として、一群のたばこ物品（３）上に、且つ、第２パネル（１０′）との関係において、９０°だけ、蓋（４）の側壁（１３）を形成するそれぞれの第８パネル（１３′）を折曲するステップと、
を更に有する請求項１７に記載の方法。
【国際調査報告】
2013519595.tif 000022
2013519595.tif 000023
2013519595.tif 000024